(57)【要約】【課題】汎用収納部に収納した充電式電気機器を充電可能にしつつも、充電式電気機器の非収納時では同じ箇所に充電式電気機器以外の他の収納物を収納可能にすることで、汎用収納部に、その収納汎用性を確保しつつ、充電式電気機器の充電機能を備え得るようにしたキャビネットを提供する。【解決手段】充電式電気機器Ｂまたはそれ以外の収納物Ａを載置面３に置いて収納可能にする汎用収納部２をキャビネット１に設ける。この汎用収納部２に収納した充電式電気機器Ｂを非接触方式で充電可能にする充電面４を、汎用収納部の載置面の一部で構成したり、汎用収納部２の天井面５に設ける。【選択図】図１
2008237612.tif 000002
【特許請求の範囲】
【請求項１】
充電式電気機器やそれ以外の収納物を載置面に置いて収納可能にする汎用収納部をキャビネットに設け、この汎用収納部に収納した充電式電気機器を非接触方式で充電可能にする充電面を汎用収納部の載置面の一部で構成したことを特徴とするキャビネット。
【請求項２】
充電式電気機器やそれ以外の収納物を載置面に置いて収納可能にする汎用収納部をキャビネットに設け、この汎用収納部に収納した充電式電気機器を非接触方式で充電可能にする充電面を汎用収納部の天井面に設けたことを特徴とするキャビネット。
【請求項３】
充電部に充電式電気機器を位置決めする位置決め手段を設けたことを特徴とする請求項１又は２に記載のキャビネット。
【請求項４】
充電部に充電式電気機器を保持する保持手段を設けたことを特徴とする請求項１乃至３のいずれか一項に記載のキャビネット。
【発明の詳細な説明】
【技術分野】
【０００１】
本発明は、キャビネットに関するものである。
【背景技術】
【０００２】
一般に、充電式電気機器Ｂはキャビネット１などに据え置いた充電器に取り付けることで充電を行わせているが、充電の度に充電器を取り出して設置するのは面倒な作業のため、充電器を埋設させたキャビネット１が従来から考えられている（たとえば特許文献１参照）。
【０００３】
図１３のように特許文献１のカウンター型のキャビネット１では、充電式電気機器Ｂに非接触で給電させる給電部材６が棚板４０内に内装され、棚板４０の給電部材６の上には、充電式電気機器Ｂを給電部材６上の充電面４に配置させるための据置部材４１が載設されている。しかして、充電式電気機器Ｂを充電する際には、充電式電気機器Ｂは据置部材４１によって充電面４に配置されて充電できるのであり、上述の充電の度に充電器を取り出して設置する煩雑さからは解放されている。
【０００４】
ところが、据置部材４１を載設した棚板４０上の収納空間（収納部２０）は、充電式電気機器Ｂを専用に収納配置する専用収納部４２となるのであり、充電式電気機器Ｂ以外の収納物Ａを収納することはできなくなるものであった。つまり、専用収納部４２には、充電式電気機器Ｂを収納しない際にこれに代わり充電式電気機器Ｂ以外の他の収納物Ａを収納しようとしてもできないのであり、収納部２０の収納汎用性が無くなってしまうという問題があった。
【特許文献１】特開平９−３２２４３６号公報
【発明の開示】
【発明が解決しようとする課題】
【０００５】
本発明は上記の点に鑑みてなされたものであり、その目的とするところは、収納した充電式電気機器を充電可能にしつつもその非収納時には同箇所に充電式電気機器以外の他の収納物を収納可能にすることで、汎用収納部にその収納汎用性を確保しつつ充電式電気機器の充電機能を備えることのできるキャビネットを提供することを課題とするものである。
【課題を解決するための手段】
【０００６】
上記課題を解決するために請求項１に係るキャビネットにあっては、充電式電気機器Ｂやそれ以外の収納物Ａを載置面３に置いて収納可能にする汎用収納部２をキャビネット１に設け、この汎用収納部２に収納した充電式電気機器Ｂを非接触方式で充電可能にする充電面４を汎用収納部の載置面の一部で構成したことを特徴とする。これによると、汎用収納部２の載置面３の一部で構成した充電面４では充電式電気機器Ｂを置いて充電することができると共に、この充電面４は汎用収納部２の載置面３の一部で構成されているので、充電式電気機器Ｂの非収納時には代わりに様々な種類の収納物Ａを置いて汎用収納部２に収納させることができる。つまり、汎用収納部２にその収納汎用性を確保しつつ充電式電気機器Ｂの充電機能を備えるようにできる。
【０００７】
また、請求項２に係るキャビネットにあっては、充電式電気機器Ｂやそれ以外の収納物Ａを載置面３に置いて収納可能にする汎用収納部２をキャビネット１に設け、この汎用収納部２に収納した充電式電気機器Ｂを非接触方式で充電可能にする充電面４を汎用収納部２の天井面５に設けたことを特徴とする。これによると、汎用収納部２には様々な種類の収納物Ａを載置面３に置いて収納することができるのであり、また収納物Ａの収納性に関与しない汎用収納部２の天井面５に設けた充電面４によって汎用収納部２に収納した充電式電気機器Ｂを充電できる。つまり、汎用収納部２にその収納汎用性を確保しつつ充電式電気機器Ｂの充電機能を備えるようにできる。
【０００８】
また、請求項３に係るキャビネットにあっては、請求項１又は２において、充電面４に充電式電気機器Ｂを位置決めする位置決め手段８を設けたことを特徴とする。これによると、位置決め手段８によって、充電面４に対して充電式電気機器Ｂを正確に位置させることができ、充電式電気機器Ｂへの良好な充電効率を確保できる。
【０００９】
また、請求項４に係るキャビネットにあっては、請求項１乃至３のいずれか一項において、充電面４に充電式電気機器Ｂを保持する保持手段９を設けたことを特徴とする。これによると、保持手段９によって、充電面４に位置された充電式電気機器Ｂを保持でき、充電式電気機器Ｂへの充電を確実に行わせることができる。
【発明の効果】
【００１０】
本発明にあっては、汎用収納部にその収納汎用性を確保しつつ充電式電気機器の充電機能を備えることができる、という利点を有する。
【発明を実施するための最良の形態】
【００１１】
以下、本発明を添付図面に示す実施形態に基いて説明する。
【００１２】
図１乃至図３に本発明の実施の形態の例を示す。本例では本発明に特有の構成を有するキャビネット１をミラーキャビネット１２として用いた洗面化粧台１０を例示する。
【００１３】
この洗面化粧台１０は、図２及び図３のように、洗面ボウル１３を備えた洗面台１１の後部に洗面ボウル１３での水跳ねを受けるための立ち上がり壁部１４を立設し、前面にミラー１５を備えたミラーキャビネット１２を立ち上がり壁部１４の上に載設して構成されている。
【００１４】
ここで、本例の洗面ボウル１３は樹脂製であり、ボウル部１３ａの後部から鉛直板状の立ち上がり壁部１４を一体に上方に延出してあり、ボウル部１３ａの後部の幅方向の中央部ではボウル部１３ａの底面から立ち上がる側面が立ち上がり壁部１４に連続して繋がるようにされ、ボウル部１３ａの後部の幅方向の両端部ではボウル部１３ａの上面より一段下がるような台部１３ｂがボウル部１３ａの底面から立設されている。
【００１５】
また、ミラーキャビネット１２は、前方に開口した函状のキャビネット１とキャビネット１の前方開口を塞ぐように配置される扉１６とを有する。キャビネット１はその内部空間が、縦リブ１７や棚となる横リブ１８によって、複数の収納部２０に区分けされている。扉１６はキャビネット１の幅方向に並んで複数（本例では３つ）設けられており、各扉１６の前面には略全面に亙ってミラー１５がそれぞれ貼着されていてミラー１５付きの扉１６にされている。各扉１６は、その幅方向の一端がキャビネット１に枢支されて収納部２０を開閉するように回動自在にされており、両側の扉１６を前方に回動させたときには、各扉１６のミラー１５が洗面化粧台１０の幅方向の中央前方に立つ使用者に向くような３面鏡状にできるようにされている。なお、各扉１６はその下端がキャビネット１の下端と略同位置になるようにキャビネット１に取着されている。また、キャビネット１の上端には洗面化粧台１０の前方を照らすことのできる照明装置２９が載設される。
【００１６】
キャビネット１の下端部には幅方向の中央部分にカラン部２１が配置されている。カラン部２１は湯水混合栓や吐水管２２や吐水操作杆２３を有している。なお、湯水混合栓は洗面化粧台１を沿わせる建物壁の壁内や立ち上がり壁部１４の内部に配管される給湯管や給水管に接続される。吐水管２２は湯水混合栓で混合された水を吐出する部位である。吐水操作杆２３は湯水混合栓での湯水の混合比と吐水量を操作可能なレバーである。ここで、カラン部２１の主要部構成物である湯水混合栓はキャビネット１や扉１６で隠匿されている。一方、湯水混合栓から垂下する吐水管２２や吐水操作杆２３はキャビネット１や扉１６から下方に突出されて洗面化粧台１０の前方の使用者に目視され、使用、操作可能にされている。なお、吐水管２２から吐水される洗面用の水は台部１３ｂにかからず、ボウル部１３ａの底面に至るようにされている。したがって、本例の洗面化粧台１０は、扉１６を閉めたときには、煩雑な印象を与えるカラン部２１をその使用、操作に支障をきたさない程度に極力外観に出さないようにされ、すっきりとしたシンプルな外観が現出されるようになっている。
【００１７】
ところで、上記キャビネット１に複数ある収納部２０は、洗面化粧台１０での洗面作業や化粧作業に使用される小物類などの任意の収納物Ａが収納できるいわゆる汎用収納部２であるが、このうち一の汎用収納部２には、任意の収納物Ａを収納できるという収納汎用性を損なわずに、収納した充電式電気機器Ｂに非接触方式で充電できる充電機能が備えられている。
【００１８】
詳しくは、本例では汎用収納部２における収納物Ａを置く載置面３の一部に、充電式電気機器Ｂに非接触方式で給電させる給電部材６が内装され、これにより充電面４が設けられている。ここで、充電式電気機器Ｂとしては、たとえば電動歯ブラシ３８や電気カミソリ３９や脱毛処理器などの理容機器が挙げられ、このうち、給電部材６からの電気を受ける受電部材７を備えると共に受電部材７で受けた電気を貯める蓄電池を備えたものが挙げられる。また、上記給電部材６と受電部材７とで成る非接触方式の充電装置は公知のものを用いることができ、たとえば図４のように、給電部材６及び受電部材７はコイル６ａ，７ａで構成されて、これらコイル６ａ，７ａを対向配置させたときにコイル６ａ，７ａ間で生じる電磁誘導によってコイル６ａ，７ａ間に電気の移動（送電）が行われるものを使用できる。なお図中６ｂは給電部材６に対してキャビネット１の裏方側から給電する電線である。また、本例の充電式電気機器Ｂは、上部に歯磨き動作や除毛動作等を行う出力部３０が設けられ下部に把持部３１が設けられ、受電部材７は把持部３１に内装されている。そして、把持部３１の下端の接地面を充電面４に接地させて立て置いたときに、給電部材６と受電部材７とが対向位置に位置するようになって、給電部材６から受電部材７に電気が給電されるようになっている。
【００１９】
叙述のように汎用収納部２ではその載置面３の一部に充電面４が設けられているが、充電面４を設けたことによっても載置面３の形状は何ら変わることはなくて連続した形状を保っており、つまり充電面４は載置面３の一部で構成されている。本例では、載置面３は充電面４を含む全面に亙って面一の水平面に形成されている。したがって、図１のように載置面３の充電面４以外の箇所を通常載置面３ａと称する場合、この通常載置面３ａと充電面４とは連続する形状に形成されており、任意の収納物Ａは通常載置面３ａ及び充電面４に対してそれぞれ個別に置くことが可能であると共に、通常載置面３ａ及び充電面４に跨るようにしても置くことが可能である。すなわち、載置面３における充電面４は、充電式電気機器Ｂは勿論のこと任意の収納物Ａをも支障なく置くことのできる、いわゆる共用載置面３ｂと言うことができる。
【００２０】
このように本例のキャビネット１では、汎用収納部２の載置面３の一部に設けた充電面４に充電式電気機器Ｂを置いて充電することができると共に、この充電面４は汎用収納部２の載置面３の一部で構成されているので、充電式電気機器Ｂの非収納時には代わりに様々な種類の収納物Ａを置いて汎用収納部２に収納させることができる。このように、汎用収納部２では、任意の収納物Ａを収納できるという収納汎用性が確保されつつも、充電式電気機器Ｂの充電機能が備わるようにされている。また、本例では充電面４を含む汎用収納部２の載置面３が水平面に形成されているから、載置面３が汚れても拭き取り作業などのお手入れが容易であると共に、すっきりとしたシンプルな汎用収納部２の外観も現出できるのである。更に言うと、本例では図４（ｂ）のように、充電面４は汎用収納部２の奥行きの中央部よりもやや前側に位置して設けているので、汎用収納部２の奥部の載置面３に収納物Ａを載せたままの状態でも、頻繁に使用する充電式電気機器Ｂは上記奥部の収納物Ａに妨げられずに充電面４に載置して充電可能であり、キャビネット１の使い勝手の向上が図られている。
【００２１】
ここで、充電面４には充電式電気機器Ｂを位置決めする位置決め手段８を設けてもよい。位置決め手段８は、たとえば図５のように充電面４に施したマーキング２４により構成することができる。これによると、充電面４に充電式電気機器Ｂを正確に位置できて、良好な充電効率を確保することができる。
【００２２】
また、充電面４には充電式電気機器Ｂを保持する保持手段９を設けてもよい。保持手段９としては、たとえば図５のように充電式電気機器Ｂと充電面４とに内装した磁石２５で構成することができる。これによると、充電式電気機器Ｂと充電面４との間で対向した磁石２５，２５同士が引き合うように磁着することで、充電面４に位置させた充電式電気機器Ｂを保持することができ、充電面４に位置された充電式電気機器Ｂが充電の途中で充電姿勢を崩すように動いたりすることが防止できて、充電式電気機器Ｂへの充電を確実に行わせることができる。なお、充電面４に内装した磁石２５に対して充電式電気機器Ｂに内装した磁石２５が引き合うことによると、充電式電気機器Ｂが充電面４に誘導されるようにガイドされて位置決めできるのであって、つまりガイド機能付きの位置決め手段８としても機能する。なお、上記充電式電気機器Ｂや充電面４に設ける磁石２５のうち一方を磁性体で構成してもよい。
【００２３】
また、上記保持手段９としては図７のように充電面４から突没可能にした突起２６を配置し、充電面４から突出させた突起２６を充電式電気機器Ｂの接地面に凹設した嵌合凹部３２に対して嵌合可能にして構成することもできる。本例の突起２６は押しボタン式のラッチ機構を備えている。詳しくは、この突起２６は、充電面４から穿設した突起収納穴２６ａに内装されるのであり、図７（ａ）のように突起収納穴２６ａに内装したばね２７の付勢により充電面４から上方に突出する状態にできるが、図７（ｂ）のように一旦充電面４内に没入されると充電面４（突起収納穴２６ａ）内でその没入状態が係止手段による係止によって維持されるのであり、そして、この没入状態の突起２６を更に充電面４（突起収納穴２６ａ）内に押し込むなどして係止手段による係止を解除させると、ばね２７の付勢により充電面４（突起収納穴２６ａ）から突起２６が突出されるという動作を順に繰り返すようになっている。
【００２４】
つまり、図７（ａ）のように充電面４から突出させた突起２６に充電式電気機器Ｂの嵌合凹部３２を嵌合させることで充電式電気機器Ｂは充電面４に保持されるのであり、充電式電気機器Ｂへの充電を確実に行わせることができる。なお、嵌合凹部３２の突起２６への嵌合によると、充電式電気機器Ｂの充電面４への正確な位置決めも確保できるのであり、つまり上記位置決め手段８としても機能する。また、本例の突起２６は、充電式電気機器Ｂの非収納時には図７（ｂ）のように充電面４内に没入させておき、充電面４を上記通常載置面３ａに連続する形状にすることもできるから、充電面４を含む載置面３に任意の収納物Ａを置くことを妨げないようにでき、汎用収納部２の収納汎用性を確保できるのである。
【００２５】
また、上記保持手段９としては図８のように充電面４から突設した小突起２８で構成することもできる。たとえば収納物Ａになり得る整髪スプレー缶３３は、図８（ｂ）のように一般にその底部が、接地部に環状のリム部３４とその内部にドーム状に上方に凹ませてた凹部３５とを有して形成されている。この整髪スプレー缶３３は、充分に突出高さの小さい小突起２８を凹部３５内に位置させてリム部３４を充電面４に接地させることで、通常載置面３ａと同様に充電面４に立て置くことができる。つまり、この保持手段９を充電面４に設けたことによっても、汎用収納部２の収納汎用性は確保されるのである。
【００２６】
また、先例では載置面３は水平面に形成されたものを例示したが、載置面３はたとえば図９のように任意の収納物Ａを横に倒して置くのに適した形状に形成されていてもよい。この例の載置面３は、収納物Ａの底面を載置する底面載置面３６と収納物Ａの側面を載置する側面載置面３７とを有し、互いに傾斜せる底面載置面３６と側面載置面３７とが下端同士で接続して谷形状を形成するように構成されている。なお、この例では底面載置面３６に給電部材６を内装して充電面４を設けている。上記底面載置面３６と側面載置面３７とで構成された載置面３であっても、任意の収納物Ａを横に倒して置くことができるから、汎用収納部２には収納汎用性が備えられるのである。
【００２７】
また、先例では充電面４は載置面３の一部に設けられていたが、充電面４は汎用収納部２を囲繞する側面１９や天井面５に設けてもよい。たとえば図１０のキャビネット１では充電面４は汎用収納部２の天井面５に給電部材６を内装させて設けられている。なお、この充電面４には磁石２５で構成する保持手段９（図６参照）が設けられている。したがって、充電式電気機器Ｂは、磁石２５で構成された保持手段９によって、天井面５の充電面４から釣り下げられるようにして汎用収納部２に収納されて充電される。なお、充電面４を含む天井面５は面一の水平面に形成されている。
【００２８】
この例の汎用収納部２では、収納物Ａを載置面３に置いて収納する収納性に関与しない汎用収納部２の天井面５に充電面４が設けられており、つまり充電面４を設けたことによっても変わらずに様々な種類の収納物Ａを載置面３に置いて汎用収納部２に収納することができるのであって、その汎用収納性は確保されている。このように本例でも、汎用収納部２に、その収納汎用性を確保しつつ、充電式電気機器Ｂの充電機能を備えることができたものである。
【００２９】
なお、上記実施形態では汎用収納部２内の１箇所に充電面４を設けているが、図１１のように汎用収納部２内の多数箇所に充電面４を設けてもよい（なお図１１では汎用収納部２の幅方向に所定の間隔を有して２つの充電面４が並設されている）。無論、キャビネット１が有する複数の汎用収納部２に対して充電面４を設けてもよい。また、図１２のように給電部材６のコイル６ａを受電部材７のコイル７ａに比べて充分大きな径にするように形成し、充電式電気機器Ｂの接地面に比べて広域の充電面４を形成することも好ましい。この場合には、広域の充電面４に対して複数の充電式電気機器Ｂを位置させて充電することもできる。
【図面の簡単な説明】
【００３０】
【図１】本発明の実施の形態の例の洗面化粧台（キャビネット）の要部の斜視図である。
【図２】同上の洗面化粧台の斜視図である。
【図３】同上の洗面化粧台であり、（ａ）は概略正面図であり、（ｂ）は一部を切り欠いた概略側面図である。
【図４】同上のキャビネットであり、（ａ）は要部の正面図であり、（ｂ）は要部の側面図である。
【図５】実施の形態の他例のキャビネットの要部の斜視図である。
【図６】実施の形態の更に他例のキャビネットであり、（ａ）は要部の正面断面図であり、（ｂ）は要部の側断面図である
【図７】実施の形態の更に他例のキャビネットであり、（ａ）は要部の正面断面図であり、（ｂ）は突起を充電部に没入させたとき（充電式電気機器の非収納時）の正面断面図である
【図８】実施の形態の更に他例のキャビネットであり、（ａ）は充電式電気機器の収納（充電）時の要部の正面断面図であり、（ｂ）は収納物の収納時（充電式電気機器の非収納時）の要部の正面断面図である。
【図９】実施の形態の更に他例のキャビネットの要部の概略側断面図である。
【図１０】実施の形態の更に他例のキャビネットであり、（ａ）は概略正面図であり、（ｂ）は概略側面図である。
【図１１】実施の形態の更に他例のキャビネットであり、（ａ）は概略正面図であり、（ｂ）は概略側面図である。
【図１２】実施の形態の更に他例のキャビネットであり、（ａ）は概略正面図であり、（ｂ）は概略側面図である。
【図１３】従来技術の例のキャビネットであり、（ａ）は要部の分解斜視図であり、（ｂ)は斜視図である。
【符号の説明】
【００３１】
１  キャビネット
２  汎用収納部
３  載置面
４  充電面
５  天井面
６  給電部材
７  受電部材
８  位置決め手段
９  保持手段
１０  洗面化粧台
１２  ミラーキャビネット
【図１】
2008237612.tif 000003
【図２】
2008237612.tif 000004
【図３】
2008237612.tif 000005
【図４】
2008237612.tif 000006
【図５】
2008237612.tif 000007
【図６】
2008237612.tif 000008
【図７】
2008237612.tif 000009
【図８】
2008237612.tif 000010
【図９】
2008237612.tif 000011
【図１０】
2008237612.tif 000012
【図１１】
2008237612.tif 000013
【図１２】
2008237612.tif 000014
【図１３】
2008237612.tif 000015